(57)【特許請求の範囲】
【請求項１】
複数の基地局からのシステム情報の捕捉のための方法であって、モバイル局によって実現される方法において、
前記複数の基地局からのメッセージ中に含まれるパラメータに基づいて前記複数の基地局からの前記システム情報の送信のための予定時間を決定することと、
前記予定時間を備えるスケジュールリストを生成することと、
前記システム情報を前記基地局から受信するために前記スケジュールリスト中に明記されている予定時間で前記基地局に同調することと、
前記モバイル局が前記特定の基地局のための前記予定時間に従って前記特定の基地局のための前記システム情報を受信しない場合、特定の基地局のための前記予定時間を再計算すること及び前記再計算された予定時間を含めるために前記スケジュールリストを更新することと
を備える方法。
【請求項２】
前記システム情報は、ダウンリンクチャネルディスクリプタ（ＤＣＤ）及びアップリンクチャネルディスクリプタ（ＵＣＤ）メッセージを備える、請求項１に記載の方法。
【請求項３】
前記複数の基地局からの前記メッセージは、ダウンリンクＭＡＰ（ＤＬ−ＭＡＰ）メッセージを備える、請求項１に記載の方法。
【請求項４】
前記パラメータは、ダウンリンクチャネルディスクリプタ（ＤＣＤ）及びアップリンクチャネルディスクリプタ（ＵＣＤ）送信フレームパラメータ、フレーム持続時間パラメータ、及び現在のフレーム番号パラメータを備える、請求項１記載の方法。
【請求項５】
利用可能な基地局のためにスキャンすることと、
前記複数の基地局からのダウンリンクＭＡＰ（ＤＬ−ＭＡＰ）メッセージ及び物理的パラメータを捕捉することと
を更に備える、請求項１に記載の方法。
【請求項６】
前記システム情報の送信のための前記予定時間を決定することは、前記複数の基地局から受信された前記ＤＬ−ＭＡＰメッセージを解析することを備える、請求項５に記載の方法。
【請求項７】
複数の基地局からのシステム情報の捕捉のための方法であって、モバイル局によって実現される方法において、
前記複数の基地局からのメッセージ中に含まれるパラメータに基づいて前記複数の基地局からの前記システム情報の送信のための予定時間を決定すること、ここで、基地局ｉからの前記システム情報の送信のための予定時間は、Ｔｉ＝Ｓｉ＋（現在の＿フレーム＿番号−ＤＵＣ＿ＵＣＤ＿Ｔｘ＿Ｆｒａｍｅ）ｍｏｄ１２８＊フレーム＿持続時間として決定される、と、
前記予定時間を備えるスケジュールリストを生成することと、
前記システム情報を前記基地局から受信するために前記スケジュールリスト中に明記されている予定時間で前記基地局に同調することと
を備える方法。
【請求項８】
複数の基地局からのシステム情報の捕捉のための方法であって、モバイル局によって実現される方法において、
前記複数の基地局からのメッセージ中に含まれるパラメータに基づいて前記複数の基地局からの前記システム情報の送信のための予定時間を決定することと、
前記予定時間を備えるスケジュールリストを生成することと、
前記システム情報を前記基地局から受信するために前記スケジュールリスト中に明記されている予定時間で前記基地局に同調することと
を備え、
ここで、第１の基地局からの前記システム情報の送信のための第１の予定時間及び第２の基地局からの前記システム情報の送信のための第２の予定時間の間に矛盾がある場合、
前記システム情報が前記第１の基地局から受信された後に前記第２の基地局のために基地局識別子に同調することと、
前記第２の基地局からの前記システム情報の送信のための前記予定時間を再計算することと、
前記第２の基地局からの前記システム情報の送信のための前記再計算された予定時間を含めるために前記スケジュールリスト更新することと
を更に備える方法。
【請求項９】
複数の基地局からのシステム情報の捕捉のために構成されたモバイル局において、
プロセッサと、
前記プロセッサを備えた電子通信におけるメモリと、
前記メモリに記憶された命令であって、
前記複数の基地局からのメッセージ中に含まれるパラメータに基づいて前記複数の基地局からの前記システム情報の送信のための予定時間を決定し、
前記予定時間を備えるスケジュールリストを生成し、
前記システム情報を前記基地局から受信するために前記スケジュールリスト中に明記されている前記予定時間で前記基地局に同調し、
前記モバイル局が前記特定の基地局のための前記予定時間に従って前記特定の基地局のための前記システム情報を受信しない場合、特定の基地局のための前記予定時間を再計算し、前記再計算された予定時間を含めるために前記スケジュールリストを構成する
ために前記プロセッサによって実行可能である命令と
を備えるモバイル局。
【請求項１０】
前記システム情報は、ダウンリンクチャネルディスクリプタ（ＤＣＤ）及びアップリンクチャネルディスクリプタ（ＵＣＤ）メッセージを備える、請求項９に記載のモバイル局。
【請求項１１】
前記複数の基地局からの前記メッセージは、ダウンリンクＭＡＰ（ＤＬ−ＭＡＰ）メッセージを備える、請求項９に記載のモバイル局。
【請求項１２】
前記パラメータは、ダウンリンクチャネルディスクリプタ（ＤＣＤ）及びアップリンクチャネルディスクリプタ（ＵＣＤ）送信フレームパラメータ、フレーム持続時間パラメータ、及び現在のフレーム番号パラメータを備える、請求項９に記載のモバイル局。
【請求項１３】
前記命令はまた、
利用可能な基地局のためにスキャンし、
前記複数の基地局からのダウンリンクＭＡＰ（ＤＬ−ＭＡＰ）及び物理的パラメータを捕捉する
ために実行可能である、請求項９に記載のモバイル局。
【請求項１４】
前記システム情報の送信のための前記予定時間を決定することは、前記複数の基地局から受信された前記ＤＬ−ＭＡＰメッセージを解析することを備える、請求項１３に記載のモバイル局。
【請求項１５】
複数の基地局からのシステム情報の捕捉のために構成されたモバイル局において、
プロセッサと、
前記プロセッサを備えた電子通信におけるメモリと、
前記メモリに記憶された命令であって、
前記複数の基地局からのメッセージ中に含まれるパラメータに基づいて前記複数の基地局からの前記システム情報の送信のための予定時間を決定し、ここで、基地局ｉからの前記システム情報の送信のための予定時間は、Ｔｉ＝Ｓｉ＋（現在の＿フレーム＿番号−ＤＣＤ＿ＵＣＤ＿Ｔｘ＿Ｆｒａｍｅ）ｍｏｄ１２８＊フレーム＿持続時間として決定され、
前記予定時間を備えるスケジュールリストを生成し、
前記システム情報を前記基地局から受信するために前記スケジュールリスト中に明記されている予定時間で前記基地局に同調する
ために前記プロセッサによって実行可能である命令と
を備えるモバイル局。
【請求項１６】
複数の基地局からのシステム情報の捕捉のために構成されたモバイル局において、
プロセッサと、
前記プロセッサを備えた電子通信におけるメモリと、
前記メモリに記憶された命令であって、
前記複数の基地局からのメッセージ中に含まれるパラメータに基づいて前記複数の基地局からの前記システム情報の送信のための予定時間を決定し、
前記予定時間を備えるスケジュールリストを生成し、
前記システム情報を前記基地局から受信するために前記スケジュールリスト中に明記されている予定時間で前記基地局に同調する  ために前記プロセッサによって実行可能である命令と
を備え、
ここで、第１の基地局からの前記システム情報の送信のための第１の予定時間及び第２の基地局からの前記システム情報の送信のための第２の予定時間の間に矛盾がある場合、前記命令はまた、
前記システム情報が前記第１の基地局から受信された後に前記第２の基地局のために基地局識別子に同調し、
前記第２の基地局からの前記システム情報の送信のための前記予定時間を再計算し、
前記第２の基地局からの前記システム情報の送信のための前記再計算された予定時間を含めるために前記スケジュールリストを更新する
ために実行可能である、モバイル局。
【請求項１７】
複数の送信デバイスからのシステム情報の捕捉のために構成された受信装置において、
前記複数の送信デバイスからのメッセージ中に含まれるパラメータに基づいて前記複数の送信デバイスからの前記システム情報の送信のための予定時間を決定する手段と、
前記予定時間を備えるスケジュールリストを生成する手段と、
前記システム情報を前記複数の送信デバイスから受信するために前記スケジュールリスト中に明記されている前記予定時間で前記複数の送信デバイスに同調する手段と、
前記受信装置が前記送信デバイスのための前記予定時間に従って前記特定の基地局のための前記システム情報を受信しない場合、特定の送信デバイスのための前記予定時間を再計算し、前記再計算された予定時間を含めるために前記スケジュールリストを更新する手段と
を備える受信装置。
【請求項１８】
前記システム情報は、ダウンリンクチャネルディスクリプタ（ＤＣＤ）及びアップリンクチャネルディスクリプタ（ＵＣＤ）メッセージを備える、請求項１７に記載の受信装置。
【請求項１９】
前記複数の送信デバイスからの前記メッセージは、ダウンリンクＭＡＰ（ＤＬ−ＭＡＰ）メッセージを備える、請求項１７に記載の受信装置。
【請求項２０】
前記パラメータは、ダウンリンクチャネルディスクリプタ（ＤＣＤ）及びアップリンクチャネルディスクリプタ（ＵＣＤ）送信フレームパラメータ、フレーム持続時間パラメータ、及び現在のフレーム番号パラメータを備える、請求項１７に記載の受信装置。
【請求項２１】
利用可能な送信デバイスのためにスキャンする手段と、
物理的パラメータ及び前記複数の送信デバイスからのダウンリンクＭＡＰ（ＤＬ−ＭＡＰ）メッセージを捕捉する手段と
を更に備える、請求項１７に記載の受信装置。
【請求項２２】
前記複数の基地局からのメッセージ中に含まれるパラメータに基づいて前記複数の基地局からの前記システム情報の送信のための予定時間を決定するためのコードと、
前記予定時間を備えるスケジュールリストを生成するためのコードと、
前記システム情報を前記基地局から受信するために前記スケジュールリスト中に明記されている前記予定時間で前記基地局に同調するためのコードと、
モバイル局が特定の基地局のための前記予定時間に従って前記特定の基地局のための前記システム情報を受信しない場合、前記特定の基地局のための前記予定時間を再計算するためのコードと
を備える命令をそのうえに有するコンピュータ読み取り可能媒体。
【請求項２３】
前記システム情報は、ダウンリンクチャネルディスクリプタ（ＤＣＤ）及びアップリンクチャネルディスクリプタ（ＵＣＤ）メッセージを備える、請求項２２に記載のコンピュータ読み取り可能媒体。
【請求項２４】
前記複数の基地局からの前記メッセージは、ダウンリンクＭＡＰ（ＤＬ−ＭＡＰ）メッセージを備える、請求項２２に記載のコンピュータ読み取り可能媒体。
【請求項２５】
前記パラメータは、ダウンリンクチャネルディスクリプタ（ＤＣＤ）及びアップリンクチャネルディスクリプタ（ＵＣＤ）送信フレームパラメータ、フレーム持続時間パラメータ、及び現在のフレーム番号パラメータを備える、請求項２２に記載のコンピュータ読み取り可能媒体。
【請求項２６】
前記命令は、
利用可能な基地局のためにスキャンするためのコードと、
物理的パラメータ及び前記複数の基地局からのダウンリンクＭＡＰ（ＤＬ−ＭＡＰ）メッセージを捕捉するためのコードと
を更に備える、請求項２２に記載のコンピュータ読み取り可能媒体。
【発明の詳細な説明】
【技術分野】
【０００１】
本開示は、一般に通信システムに関する。特に、本開示は、複数の基地局に対応するシステム情報の並列捕捉のための方法及び装置に関する。
【背景技術】
【０００２】
ここで使用されるように、用語“モバイル局”は、無線通信ネットワークで音声及び／またはデータ通信のために用いられることができる電子デバイスを指す。モバイル局の例は、携帯電話、パーソナルデジタルアシスタント（ＰＤＡ）、ハンドヘルドデバイス、無線モデム、ラップトップコンピュータ、パーソナルコンピュータ等を含む。モバイル局は、アクセス端末、モバイル端末、加入者局、遠隔局、ユーザ端末、端末、加入者ユニット、ユーザ装置等として代替的に言及される。
【０００３】
無線通信ネットワークは、通信を多くのモバイル局に提供することができる。そして、その各々は、基地局によってサービスを提供されることができる。基地局は、アクセスポイント、ノードＢ、またはいくつかの他の専門用語として代替的に言及されることができる。
【０００４】
モバイル局は、アップリンク及びダウンリンク上で送信を経て１つ以上の基地局と通信することができる。アップリンク（または逆方向リンク）は、モバイル局から基地局への通信リンクを指し、ダウンリンク（または送信リンク）は、基地局からモバイル局への通信リンクを指す。
【０００５】
無線通信ネットワークのリソース（例えば、帯域幅及び送信電力）は、複数のモバイル局の間で共有されることができる。符号分割多元接続（ＣＤＭＡ）、時分割多元接続（ＴＤＭＡ）、周波数分割多元接続（ＦＤＭＡ）、及び直交周波数分割多元接続（ＯＦＤＭＡ）を含む、様々な複数のアクセス技術が知られている。
【０００６】
利点は、無線通信ネットワークのオペレーションと関連して改良された方法及び装置によって実現されることができる。
【図面の簡単な説明】
【０００７】
【図１】図１は、複数の基地局及び複数のモバイル局を備える無線通信システムを例証する。
【図２】図２は、基地局及びモバイル局の設計のブロック図を例証する。
【図３】図３は、ＷｉＭＡＸネットワークにおけるフレームの構造のある観点を示す一例を例証する。
【図４】図４は、ＷｉＭＡＸネットワークにおけるフレームの構造のある付加的な観点を示す一例を例証する。
【図５】図５は、ＷｉＭＡＸネットワークにおけるＤＣＵ＿ＵＣＤ＿ＴＸ＿Ｆｒａｍｅの使用法を例証する。
【図６】図６は、並列に複数の基地局のためにＤＣＵ及びＵＣＤメッセージを捕捉する方法の一例を例証する。
【図７】図７は、図６の方法に対応するミーンズプラスファンクションブロックを例証する。
【図８】図８は、特別の基地局のためのＤＣＤ及びＵＣＤ送信のための予定時間がどのように決定されることができるかを示す一例を例証する。
【図９】図９は、図６の並列捕捉方法の一例を例証する。
【図１０】図１０は、モバイル局が予定時間に従って特別の基地局のためにＤＣＤ及びＵＣＤメッセージを受信しない場合に、モバイル局によって実現されることができる方法の一例を例証する。
【図１１】図１１は、図１０の方法に対応するミーンズプラスファンクションブロックを例証する。
【図１２】図１２は、異なる基地局からのＤＣＤ及びＵＣＤ送信のための予定時間の間に矛盾がある場合に、モバイル局によって実現されることができる方法の一例を例証する。
【図１３】図１３は、図１２の方法に対応するミーンズプラスファンクションブロックを例証する。
【図１４】図１４は、本開示に従って複数の基地局からのシステム情報の並列補足のために構成されたモバイル局内に含まれることができるある構成要素を例証する。
【概要】
【０００８】
複数の基地局からのシステム情報の並列捕捉のための方法が開示される。その方法は、モバイル局によって実現されることができる。その方法は、複数の基地局からのメッセージ中に含まれるパラメータに基づいて複数の基地局からのシステム情報の送信のための予定時間を決定することを含むことができる。その方法はまた、予定時間を備えるスケジュールリストを生成することを含むことができる。その方法はまた、システム情報を基地局から受信するためにスケジュールリスト中に明記されている予定時間で基地局に同調することを含むことができる。
【０００９】
複数の基地局からのシステム情報の並列捕捉のために構成されたモバイル基地局が開示される。そのモバイル局は、プロセッサを含むことができる。そのモバイル局はまた、プロセッサを備えた電子通信におけるメモリを含むことができる。そのモバイル局はまた、メモリに記憶された命令を含むことができる。その命令は、複数の基地局からのメッセージ中に含まれるパラメータに基づいて複数の基地局からのシステム情報の送信のための予定時間を決定するためにプロセッサによって実行可能であるであることができる。その命令はまた、予定時間を備えるスケジュールリストを生成するために実行可能であることができる。その命令はまた、システム情報を基地局から受信するためにスケジュールリスト中に明記されている予定時間で基地局に同調するために実行可能であることができる。
【００１０】
複数の基地局からのシステム情報の並列捕捉のために構成されたモバイル局が開示される。そのモバイル局は、複数の基地局からのメッセージ中に含まれるパラメータに基づいて複数の基地局からのシステム情報の送信のための予定時間を決定する手段を含むことができる。そのモバイル局はまた、予定時間を備えるスケジュールリストを生成する手段を含むことができる。そのモバイル局はまた、システム情報を基地局から受信するためにスケジュールリスト中に明記されている予定時間で基地局に同調する手段を含むことができる。
【００１１】
モバイル局による複数の基地局からのシステム情報の並列捕捉のためのコンピュータプログラム製品が開示される。そのコンピュータプログラム製品は、命令をそのうえに有するコンピュータ読み取り可能媒体を含むことができる。その命令は、複数の基地局からのメッセージ中に含まれるパラメータに基づいて複数の基地局からのシステム情報の送信のための予定時間を決定するためのコードを含むことができる。その命令はまた、予定時間を備えるスケジュールリストを生成するためのコードを含むことができる。その命令は、システム情報を基地局から受信するためにスケジュールリスト中に明記されている予定時間で基地局に同調するためのコードを更に含むことができる。
【詳細な説明】
【００１２】
本開示の方法及び装置は、広帯域無線通信ネットワークにおいて利用されることができる。用語“広帯域無線”は、与えられたエリアで無線、音声、インターネット、及び／またはデータネットワークアクセスを提供する技術を指す。
【００１３】
広帯域無線アクセス標準上での電気電子技術者協会（ＩＥＥＥ）８０２．１６ワーキンググループは、広帯域無線メトロポリタンエリアネットワークのグローバルな配置のための形式仕様を整備することを目標としている。標準の８０２．１６ファミリーは無線ＭＡＮ（WirelessMAN）と公式に呼ばれるが、それはＷｉＭＡＸフォーラムと呼ばれる業界団体によって“ＷｉＭＡＸ”（それは“マイクロ波アクセスのための世界的な相互運用”を表す）と呼ばれている。したがって、用語“ＷｉＭＡＸ”は、長い距離を超えてハイスループット広帯域接続を提供する標準ベースの広帯域無線技術を指す。
【００１４】
ＷｉＭＡＸは、ＯＦＤＭ（直交周波数分割多重）及びＯＦＤＭＡ（直交周波数分割多元接続）技術に基づく。ＯＦＤＭは、様々な高データレート通信ネットワークにおいて広い採用を最近見出しているデジタルマルチキャリア変調技術である。ＯＦＤＭで、送信ビットストリームは、複数のより低いレートサブストリームに分割される。各々のサブストリームは、複数の直交サブキャリアの１つで変調され、多数の並列サブチャネルの１つによって送られる。ＯＦＤＭＡは、異なるタイムスロットにおいてユーザがサブキャリアを割り当てられる多元接続技術である。ＯＦＤＭＡは、広く変化するアプリケーション、データレート、及びサービス要件の品質を多くのユーザに提供することができる適応性のある多元接続技術である。
【００１５】
ここで記述される例のいくつかは、ＷｉＭＡＸ標準に従って攻勢される無線通信ネットワークに関連している。しかしながら、これらの例は、本開示の範囲を制限するとして解釈されるべきでない。そしてそれは、多くの他の通信システムに適用可能であるかもしれない。
【００１６】
図１は、複数の基地局（ＢＳ）１０２及び複数のモバイル局（ＭＳ）１０４を備える無線通信システム１００を示す。基地局１０２は、モバイル局１０４と通信する局（station）である。基地局１０２はまた、アクセスポイント、ノードＢ、発展したノードＢ等と呼ばれるかもしれないし、アクセスポイント、ノードＢ、発展したノードＢ等の機能性のいくつかまたは全てを含むかもしれない。各々の基地局１０２は、通信範囲を特別の地理的エリア１０６のために提供する。用語“セル”は、その用語が使用される文脈に依存して基地局１０２及び／またはそのサービスエリア１０６を指すことができる。システム容量を改良するために、基地局サービスエリア１０６は、複数のより小さいエリア、例えば３つのより小さいエリア１０８ａ、１０８ｂ及び１０８ｃに分割されることができる。各々のより小さいエリア１０８ａ、１０８ｂ及び１０８ｃは、それぞれのベーストランシーバ局（ＢＴＳ）によって供給されることができる。用語“セクタ”は、その用語が使用される文脈に依存してＢＴＳ及び／またはそのサービスエリア１０８を指すことができる。セクタ化されたセルのために、そのセルの全てのセクタのためのＢＴＳは、そのセルのために基地局１０２内に典型的に共同設置される。
【００１７】
モバイル局１０４は、システム１００の至る所に典型的に分散する。そして、各々のモバイル局１０４は、動かないかもしれないし、移動できるかもしれない。モバイル局１０４はまた、端末、アクセス端末、ユーザ装置、加入者ユニット、局等と呼ばれるかもしれないし、端末、アクセス端末、ユーザ装置、加入者ユニット、局等の機能性のいくつかまたは全てを含むかもしれない。モバイル局１０４は、携帯電話、パーソナルデジタルアシスタント（ＰＤＡ）、無線デバイス、無線モデム、ハンドヘルドデバイス、ラップトップコンピュータ等であるかもしれない。モバイル局１０４は、任意の与えられたモーメントでダウンリンク（ＤＬ）及び／またはアップリンク（ＵＬ）によって０、１つ、または複数の基地局１０４と通信することができる。ダウンリンク（または送信リンク）は、基地局１０２からモバイル局１０４への通信リンクを指す。そして、アップリンク（または逆方向リンク）は、モバイル局１０４から基地局１０２への通信リンクを指す。
【００１８】
集中型アーキテクチャのために、システムコントローラ１１０は、基地局１０２に連結し、これらの基地局１０２のための調整及び制御を提供することができる。システムコントローラ１１０は、単一ネットワークエンティティであるかもしれないし、ネットワークエンティティのコレクションであるかもしれない。分散型アーキテクチャのために、基地局１０２は、必要に応じてお互いと通信することができる。
【００１９】
図２は、基地局１０２及びモバイル局１０４の設計のブロック図を示す。そしてそれは、図１中の基地局１０２のうちの１つ及びモバイル局１０４のうちの１つであることができる。基地局１０２で、送信（ＴＸ）データ及び制御プロセッサ２１２ａは、データソース（示さない）からのトラフィックデータ及びコントローラ／プロセッサ２１４ａからの制御情報を受信することができる。プロセッサ２１２ａは、トラフィックデータ及び制御情報を処理し（例えば、フォーマットする、エンコードする、インタリーブする、及びシンボルマップする）、変調シンボルを提供することができる。変調器（ＭＯＤ）２１６ａは、変調シンボルを（例えば、ＯＦＤＭのために）処理し、出力チップを提供することができる。送信機（ＴＭＴＲ）２１８ａは、出力チップを処理し（例えば、アナログに変換する、増幅する、フィルタリングする、及びアップコンバートする）、ダウンリンク信号を生成することができる。そのダウンリンク信号は、アンテナ２２ａを経て送信されることができる。
【００２０】
モバイル局１０４で、アンテナ２２０ｂは、ダウンリンク信号をその基地局１０２及び他の基地局１０２から受信することができ、受信された信号を受信機（ＲＣＶＲ）２２２ｂに提供することができる。受信機２２２ｂは、受信された信号を調整し（例えば、フィルタリングする、増幅する、ダウンコンバートする、及びデジタル化する）、受信されたサンプルを提供することができる。復調器（ＤＥＭＯＤ）２２４ｂは、受信されたサンプルを（例えば、ＯＦＤＭのために）処理し、復調されたシンボルを提供することができる。受信（ＲＸ）データ及び制御プロセッサ２２６ｂは、モバイル局１０４用の復号されたデータ及び制御情報を得るために復調されたシンボルを処理する（例えば、シンボルデマップする、デインタリーブする、及び復号する）ことができる。
【００２１】
アップリンクについては、モバイル局１０４で、モバイル局１０４によって送られるためのデータ及び制御情報は、ＴＸデータ及び制御プロセッサ２１２ｂによって処理され、変調器２１６ｂによって変調され、送信機２１８ｂによって調整され、アンテナ２２０ｂを経て送信されることができる。基地局１０２で、そのモバイル局１０４及びあるいは他のモバイル局１０４からのアップリンク信号は、アンテナ２２０ａによって受信され、受信機２２２ａによって調整され、復調器２２４ａによって復調され、モバイル局１０４によって送られたデータ及び制御信号を回復するためにＲＸデータ及び制御プロセッサ２２６ａによって処理されることができる。一般に、アップリンク送信のために処理することは、ダウンリンク送信のために処理することと類似しているかもしれないし、異なっているかもしれない。
【００２２】
コントローラ／プロセッサ２１４ａ及び２１４ｂは、それぞれ、基地局１０２及びモバイル局１０４でオペレーションを導くことができる。メモリ２２８ａ及び２２８ｂは、それぞれ、基地局１０２及びモバイル局１０４のためのデータ及びプログラムコードを記憶することができる。スケジューラ２３０は、ダウンリンク及び／またはアップリンク送信のためにモバイル局１０４を予定することができ、システムリソースの割り当てを提供することができる。
【００２３】
図３は、ＷｉＭＡＸネットワーク中のフレーム３３２の構造のある観点を示す一例を例証する。ＷｉＭＡＸネットワークにおいて、フレーム３３２は、不変長の時間間隔である。時間分割複信（ＴＤＤ）オペレーションのために、各々のフレーム３３２は、ダウンリンク（ＤＬ）サブフレーム３３４及びアップリンク（ＵＬ）サブフレーム３３６に分割される。ダウンリンクサブフレーム３３４は、プリアンブル３３８とともに開始する。
【００２４】
ＷｉＭＡＸネットワークにおいて、スロット３４０は、帯域幅をユーザに配分するための最も小さいユニットである。スロット３４０は、スロット持続時間３４６（すなわち、シンボル３４８のある数）を超えたサブチャネル３４２（すなわち、サブキャリア３４４のグループ）である。
【００２５】
図４は、ＷｉＭＡＸネットワーク中のフレーム４３２の構造のある付加的な観点を示す一例を例証する。フレーム４３２は、ガードインターバル４５０によって分離された、ダウンリンクサブフレーム４３４及びアップリンクサブフレーム４３６を含む。フレーム４３２は、Ｌサブチャネル４４２によって送信される。フレーム４３２中にはＭシンボル４４８の総計があり、ダウンリンクサブフレーム４３４中にはＮシンボル４４８があり、アップリンクサブフレーム４３６中にはＭ−Ｎシンボル４４８がある。
【００２６】
ダウンリンクサブフレーム４３４は、プリアンブル４３８を含む。プリアンブル４３８は、時間及び周波数同期及び最初のチャネル推定のような、物理層の手順のために使用される。ダウンリンクサブフレーム４３４はまた、フレーム制御ヘッダ（ＦＣＨ）４５２を含む。ＦＣＨ４５２は、ＭＡＰメッセージ長、変調及びコード体系、及び使用可能サブキャリアのような、フレーム構成情報を提供する。
【００２７】
複数のユーザは、フレーム４３２内でデータ領域を配分され、これらの配分は、ダウンリンクＭＡＰメッセージ４５４ａ及びアップリンクＭＡＰメッセージ４５４ｂ中に明記される。ＭＡＰメッセージ４５４ａ−ｂは、各々のユーザのためのバーストプロファイルを含む。そのバーストプロファイルは、使用される変調及びコード体系を定義する。
【００２８】
ダウンリンクサブフレーム４３４はまた、複数のダウンリンクバースト４５６ａ−ｈを含む。最初のダウンリンクバースト４５６ａは、典型的にアップリンクＭＡＰメッセージ４５４ｂである。ダウンリンクバースト４５６ａ−ｈは、サイズ及びタイプを変えてもよい、そして、いくつかのユーザのためにデータを搬送してもよい。
【００２９】
アップリンクサブフレーム４３６は、複数のアップリンクバースト４５８ａ−ｄを含む。それは、異なるユーザからであることができる。アップリンクサブフレーム４３６はまた、測距チャネル４６０を含む。その測距チャネル４６０は、定期的にその後と同様にネットワークエントリの間で閉ループ周波数、時間、及び電力調節を実行するために使用されることができる。測距チャネル４６０はまた、アップリンク帯域幅要求をするためにモバイル局によって使用されることができる。
【００３０】
アップリンクサブフレーム４３６はまた、基地局でスケジューラによって使用されることができるチャネル品質情報をフィードバックするためにモバイル局用のチャネル品質インジケータチャネル（ＣＱＩＣＨ）４６２を含む。ＣＱＩＣＨ４６２はまた、高速フィードバックチャネル４６２として言及されることができる。アップリンクサブフレーム４３６はまた、ハイブリッド自動再送要求（ＨＡＲＱ）肯定応答（ＡＣＫ）チャネル４６４を含む。それは、ダウンリンク肯定応答をフィードバックするためにモバイル局によって使用されることができる
モバイルＷｉＭＡＸネットワークにおいて、モバイル局（ＭＳ）は、そのプリアンブルインデックスを含む、基地局（ＢＳ）のパラメータ、２４ビットフレーム番号、フレーム持続時間、４８ビットＢＳＩＤ（基地局ＩＤ）、及びＤＣＤ（ダウンリンクチャネルディスクリプタ）及びＵＣＤ（アップリンクチャネルディスクリプタ）メッセージのような、ＤＬ−ＭＡＰ中のいくつかのキーパラメータをスキャンし、捕捉する。この処理は、最初のネットワーク選択、ハンドオフのための準備またはアイドルモード中のセルの再選択の間に発生するかもしれない。モバイル局が複数の基地局のサービスエリアの中にあるとき、モバイル局は、基地局の全てのために情報の全てを捕捉する必要があるかもしれない。１つの方法は、情報を基地局のために連続的に捕捉することである。しかしながら、ＤＣＤ及びＵＣＤメッセージは、１０秒の最大の時間周期で定期的に送信される。それゆえに、このような連続的なアプローチと関係する望ましくない量の待ち時間があるかもしれない。すなわち、基地局の全てのための情報の捕捉を完了することは、重要な量の時間を必要とするかもしれない。
【００３１】
本開示は、複数の基地局のためのＤＣＤ及びＵＣＤメッセージの並列捕捉方法を提案する。ここで開示される技術は、複数の基地局のためのシステム情報の捕捉において関係する待ち時間を減らすことができる。
【００３２】
言及は、今図５に対してされる。ＷｉＭＡＸ標準は、各々のＷｉＭＡＸフレーム５６６が次のＤＣＤ及びＵＣＤメッセージ５６８が送信されるフレーム番号を含むということを明記する。この情報は、ＤＬ−ＭＡＰメッセージ中のブロードキャスト制御ポインタ情報要素（ＩＥ）によって搬送されることができる。ブロードキャスト制御ポインタＩＥは、ＤＣＤ＿ＵＣＤ＿ＴＸフレームパラメータ５７０として言及されるメッセージパラメータを含む。ＤＣＤ＿ＵＣＤ＿ＴＸ＿フレームパラメータ５７０は、ＤＣＤ及びＵＣＤメッセージ５６８が送信される２４ビットフレーム番号の７つの最小有効ビットを示す。図５は、ＤＣＤ＿ＵＣＤ＿ＴＸフレームパラメータ５７０の使用法を例証する。
【００３３】
言及は、今図６に対してされる。図６は、並列に複数の基地局のためにＤＣＤ及びＵＣＤメッセージを捕捉する方法６００の一例を例証する。描かれた方法６００は、ＷｉＭＡＸネットワークのような、無線通信ネットワークにおいてモバイル局によって実現されることができる。
【００３４】
描かれた方法６００において、モバイル局は、利用可能な基地局のためにスキャンする６０２。モバイル局は、利用可能な基地局からのＤＬ−ＭＡＰメッセージ及び物理的パラメータを捕捉する６０４。物理的パラメータは、周波数割り当てインデックス、プリアンブルインデックス、及びフレーム境界を含むことができる。本議論においては、基地局が複数の基地局からのＤＬ−ＭＡＰメッセージ及び物理的パラメータを捕捉する６０４ということが仮定されるであろう。
【００３５】
基地局は、現在の＿フレーム＿番号、フレーム＿持続時間、基地局識別子（ＢＳＩＤ）、及びＤＣＤ＿ＵＣＤ＿Ｔｘ＿フレームのような、あるパラメータを決定するために受信されたＤＬ−ＭＡＰメッセージをそのとき解析する６０６。これらのパラメータは、ここではＤＬ−ＭＡＰパラメータとして言及されるであろう。モバイル局は、ＤＣＤ及びＵＣＤ送信のための予定時間を決定する６０８ためにＤＬ−ＭＡＰパラメータを使用する。
【００３６】
特に、各々の利用可能な基地局のために、モバイル局は、基地局から受信されたＤＬ−ＭＡＰを解析する６０６。モバイル局は、ＤＣＤ及びＵＣＤメッセージが基地局によって送信された時間を決定する６０８ためにＤＬ−ＭＡＰメッセージを解析することによって決定されたＤＬ−ＭＡＰパラメータ（すなわち、現在の＿フレーム＿番号、フレーム＿持続時間、ＢＳＩＤ、及びＤＣＤ＿ＵＣＤ＿Ｔｘ＿フレーム）をそのとき使用する。これは、以下でより詳細に説明されるであろう。
【００３７】
スケジュールリストは生成されることができる６１０。スケジュールリストは、全ての利用可能な基地局のためのＤＣＤ及びＵＣＤ送信フレームのための予定時間を含むことができる。モバイル局は、スケジュールリストに従ってＤＣＤ及びＵＣＤメッセージをそのとき受信することができる６１２。モバイル局は、ＤＣＤ及びＵＣＤメッセージを捕捉するために予定されたリスト中の最も早い予定時間を選ぶことができる。
【００３８】
上述された図６の方法６００は、図７中に例証されるミーンズプラスファンクションブロック７００に対応する様々なハードウェア及び／またはソフトウェア構成要素及び／またはモジュールによって実行されることができる。
【００３９】
言及は、今図８に対してされる。図８は、特別の基地局（ＢＳｉとして言及される）のためのＤＣＤ及びＵＣＤ送信のための予定時間がどのように決定されることができるかを示す一例を例証する。換言すると、図６中に例証されるブロック６０２から６１２は、図７中に例証されるミーンズプラスファンクションブロック７０２から７１２に対応する。
【００４０】
ＢＳｉからのＤＬ−ＭＡＰメッセージ８７２が捕捉されるとき、ＤＬ−ＭＡＰメッセージは、ＤＬ−ＭＡＰパラメータ８７６を決定するために解析されることができる８７４。ＤＬ−ＭＡＰパラメータ８７６は、基地局識別子（略して書かれるＢＳＩＤ）８７８、現在の＿フレーム＿番号パラメータ８８０、ＤＣＤ＿ＵＣＤ＿ＴＸ＿フレームパラメータ８７０、及びフレーム＿持続時間パラメータ８８２を含むことができる。ＢＳＩＤ８７８は、他の基地局と関連した基地局を一意的に識別する識別子である。現在の＿フレーム＿番号パラメータ８８０は、ＤＬ−ＭＡＰメッセージが受信されたフレーム番号を示す。ＤＣＤ＿ＵＣＤ＿ＴＸ＿フレームパラメータ８７０は、ＤＣＤ及びＵＣＤメッセージがＢＳｉから送信されるであろうフレーム番号を示す。フレーム＿持続時間パラメータ８８２は、単一のフレームの持続時間を示す。
【００４１】
ＤＬ−ＭＡＰパラメータ８７６は、ＤＣＤ及びＵＣＤ送信（Ｔｉ）８８６のための予定時間を計算する８８４ために使用されることができる。Ｓｉが現在のフレームが開始する時間である場合、Ｔｉは、
Ｔｉ＝Ｓｉ＋（現在の＿フレーム＿番号−ＤＣＤ＿ＵＣＤ＿Ｔｘ＿フレーム）ｍｏｄ１２８＊フレーム＿持続時間        （１）
のように決定されることができる。
【００４２】
現在のＷｉＭＡＸ標準は７ビットだけがＤＣＤ＿ＵＣＤ＿Ｔｘ＿フレームパラメータにおいて利用可能であるということを定義するので、ｍｏｄ１２８のオペレーションは、方程式（１）に含まれる。
【００４３】
Ｔｉ８８６が計算された後で８４４、Ｔｉ８８６は、スケジュールリスト８９０に加えられることができる。スケジュールリスト８９０は、各々の利用可能な基地局のための別のエントリを含むことができる。各々のエントリ８９２は、対応する基地局のためのＤＣＤ及びＵＣＤ送信のための予定時間８８６と同様に、その基地局のためのＢＳＩＤ８７８を含むことができる。
【００４４】
言及は、今図９に対してされる。図９は、図６の並列捕捉方法６００の一例を例証する。この例においては、ＢＳ１及びＢＳ２として言及された、２つの利用可能な基地局があるということが仮定されるであろう。図９は、ＢＳ２から受信されたフレーム９３２ｂと同様に、ＢＳ１から受信されたフレーム９３２ａを示す。
【００４５】
ＢＳ１からの各々のフレーム９３２ａは、ＤＣＤ＿ＵＣＤ＿ＴＸ＿フレームパラメータ９７０ａを含む。上で議論されたように、ＤＣＤ＿ＵＣＤ＿ＴＸ＿フレームパラメータ９７０ａは、ＤＣＤ及びＵＣＤメッセージ９６８ａがＢＳ１から送信される２４ビットフレーム番号の７つの最小有効ビットを示す。同様に、ＢＳ２からの各々のフレーム９３２ｂは、ＤＣＤ＿ＵＣＤ＿ＴＸ＿フレームパラメータ９７０ｂを含む。それは、ＤＣＤ及びＵＣＤメッセージ９６８ｂがＢＳ２から送信される２４ビットフレーム番号の７つの最小有効ビットを示す。
【００４６】
時間点１（図９中に示される）で、モバイル局は、そのサービスエリアにおいて利用可能な基地局のためにスキャンし始める９８８。時間点２で、モバイル局は、ＤＬ−ＭＡＰメッセージをＢＳ１から捕捉する９９０。モバイル局は、ＢＳ１からのＤＣＤ及びＵＣＤ送信のための予定時間を決定する。この値は、Ｔ１ ９８６ａとして言及されるであろう。モバイル局は、そのときＴ１ ９８６ａをスケジュールリストに加える。それは、Ｌとして言及されるであろう。
【００４７】
時間点３で、モバイル局は、ＤＬ−ＭＡＰメッセージをＢＳ２から捕捉する９９２。モバイル局は、ＢＳ２からのＤＣＤ及びＵＣＤ送信のための予定時間を決定する。この値は、Ｔ２ ９８６ｂとして言及されるであろう。モバイル局は、Ｔ２ ９８６ｂをスケジュールリスト（Ｌ）に加える。
【００４８】
モバイル局は、ＤＣＤ及びＵＣＤメッセージを捕捉するためにスケジュールリスト中の最も早い予定時間を選ぶことができる。したがって、時間点４で、モバイル局は、Ｔ２ ９８６ｂの前にＢＳ２に同調する９９４。そして、モバイル局は、ＤＣＤ及びＵＣＤメッセージをＢＳ２から捕捉する。時間点５で、ＤＣＤ及びＵＣＤメッセージが首尾よく捕捉されたとき、モバイル局は、Ｔ２ ９８６ｂをスケジュールリストから削除することによってスケジュールリストを更新する９９４。
【００４９】
時間点６で、モバイル局は、Ｔ１ ９８６ａの前にＢＳ１に同調する９９６。そして、モバイル局は、ＤＣＤ及びＵＣＤメッセージをＢＳ１から捕捉する。時間点７で、ＢＳ１からのＤＣＤ及びＵＣＤメッセージが首尾よく捕捉された後、モバイル局は、Ｔ１ ９８６ａをスケジュールリストから削除することによってスケジュールリストを更新する９９６。
【００５０】
言及は、今図１０に対してされる。図１０は、予定時間に従って特別の基地局のためのＤＣＤ及びＵＣＤメッセージをモバイル局が受信しない場合に、モバイル局によって実現されることができる方法１０００の一例を例証する。ＤＣＤ及びＵＣＤメッセージが受信されない基地局は、本議論においてＢＳｋとして言及されるであろう。ＢＳｋからのＤＣＤ及びＵＣＤ送信のための予定時間は、Ｔｋとして言及されるであろう。
【００５１】
時間ＴｋでＢＳｋのためのＤＣＤ及びＵＣＤメッセージをモバイル局が受信しないとき、それは、ＤＣＤ＿ＵＣＤ＿Ｔｘ＿フレームパラメータが７ビットだけを有しているためであることができ、それゆえに、それは、１２８＊フレーム＿持続時間（すなわち、フレーム＿持続時間＝５ｍｓのとき、１２８＊５ｍｓ＝６４０ｍｓ）に対する時間をただ単に示すことができる。ところが一方、ＤＣＤ及びＵＣＤ送信の時間周期は、最大で１０秒までであることができる。この場合、モバイル局は、Ｔｋを再計算するために上の方程式（１）を使用し、スケジュールリストを再計算されたＴｋで更新することができる。
【００５２】
描かれた方法１０００において、モバイル局は、ＢＳｋ（Ｔｋ）からのＤＣＤ及びＵＣＤ送信のための予定時間の前にＢＳｋのためのＢＳＩＤに同調する１００２。モバイル局は、そのときＤＣＤ及びＵＣＤメッセージをＢＳｋから捕捉しようと試みることができる。
【００５３】
いくつかの点で、モバイル局は、ＤＣＤ及びＵＣＤメッセージが首尾よく捕捉されたかどうかについての決定１００４をすることができる。それらが首尾よく捕捉された場合、モバイル局は、ＢＳｋのためのエントリをスケジュールリストから削除することができる１００６。しかしながら、ＤＣＤ及びＵＣＤメッセージが首尾よく捕捉されない場合、モバイル局は、Ｔｋを再計算することができる１００８。そして、モバイル局は、そのとき再計算されたＴｋを含めるためにスケジュールリストを更新することができる１０１０。
【００５４】
上述された図１０の方法１０００は、図１１中に例証されるミーンズプラスファンクションブロック１１００に対応する様々なハードウェア及び／またはソフトウェア構成要素及び／またはモジュールによって実行されることができる。換言すると、図１０中に例証されるブロック１００２から１０１０は、図１１中に例証されるミーンズプラスファンクションブロック１１０２から１１１０に対応する。
【００５５】
言及は、今図１２に対してされる。図１２は、異なる基地局からのＤＣＤ及びＵＣＤ送信のための予定時間の間に矛盾がある場合に、モバイル局によって実現されることができる方法１２００の一例を例証する。本議論においては、それが２つの基地局からのＤＣＤ及びＵＣＤ送信のための予定時間の間の矛盾であるということが仮定されるであろう。そして、それは、ＢＳｉ及びＢＳｊとして言及されるであろう。
【００５６】
描かれた方法１２００において、モバイル局は、時間ＴｉでＢＳｉからＤＣＤ及びＵＣＤメッセージを受信する１２０２。本議論においては、スケジュールリスト中の次のエントリがＢＳｊに対応するということが仮定されるであろう。ＢＳｊのためのＤＣＤ及びＵＣＤ送信のための予定時間は、Ｔｊとして言及されるであろう。しかしながら、Ｔｊが経過した、すなわち、Ｔｉ及びＴｊの間に矛盾があるということをモバイル局が決定する１２０４ということが発生するかもしれない。
【００５７】
モバイル局は、ＲＦ同調及びタイミング捕捉を促進するためにより早く得られた物理的パラメータを使用して直ちにＢＳｊのためのＢＳＩＤにまだ同調することができる１２０６。モバイル局は、そのときＴｊを再計算することができる１２０８。そして、モバイル局は、Ｔｊの再計算されたバージョンに基づいてスケジュールリストを更新することができる１２１０。換言すると、モバイル局は、Ｔｊの古い値をＴｊの再計算された値と取り替えることができる。
【００５８】
上述された図１２の方法１２００は、図１３中に例証されるミーンズプラスファンクションブロック１３００に対応する様々なハードウェア及び／またはソフトウェア構成要素及び／またはモジュールによって実行されることができる。換言すると、図１２中に例証されるブロック１２０２から１２１０は、図１３中に例証されるミーンズプラスファンクションブロック１３０２に対応する。
【００５９】
言及は、今図１４に対してされる。図１４は、本開示に従って複数の基地局からのシステム情報の並列捕捉のために構成されたモバイル局１４０４内に含まれることができるある構成要素を例証する。
【００６０】
モバイル局１４０４は、プロセッサ１４１２を含む。プロセッサ１４１２は、汎用の単一またはマルチチップマイクロプロセッサ（例えば、ＡＲＭ）、特殊用途のマイクロプロセッサ（例えば、デジタルシグナルプロセッサ（ＤＳＰ））、マイクロコントローラ、プログラマブルゲートアレイ等であることができる。プロセッサ１４１２は、中央処理装置（ＣＰＵ）として言及されることができる。ただ単一のプロセッサ１４１２が図１４のモバイル局１４０４中に示されているが、代替的な構成においては、プロセッサ（例えば、ＡＲＭ及びＤＳＰ）の組み合わせが使用されてもよい。
【００６１】
モバイル局１４０４はまた、メモリ１４２８を含む。メモリ１４２８は、電子情報を記憶することができる任意の電子部品であることができる。メモリ１４２８は、ランダムアクセスメモリ（ＲＡＭ）、リードオンリーメモリ（ＲＯＭ）、磁気ディスク記憶媒体、光学式記憶媒体、ＲＡＭの中のフラッシュメモリデバイス、プロセッサとともに含まれるオンボードメモリ、ＥＰＲＯＭメモリ、ＥＥＰＲＯＭメモリ、レジスタ、及びそれらの組み合わせを含む、その他として具体化されることができる。
【００６２】
データ１４９８及び命令１４９９は、メモリ１４２８中に記憶されることができる。命令１４９９は、様々な機能を実現するためにプロセッサ１４１２によって実行可能であることができる。命令１４９９を実行することは、メモリ１４２８中に記憶されているデータ１４９８の使用を伴うかもしれない。
【００６３】
メモリ１４２８中のデータ１４９８のいくつかの例は、様々なパラメータ１４８３を含むことができる複数のメッセージ１４８５、スケジュールリスト１４９０内の予定時間１４８１、様々な基地局から捕捉されるシステム情報１４７９等を含む。メッセージ１４８５は、例えば、様々な基地局からのＤＬ−ＭＡＰメッセージを含むことができる。メッセージ１４８５中のパラメータ１４８３は、基地局識別子（ＢＳＩＤ）、現在の＿フレーム＿番号パラメータ、ＤＣＤ＿ＵＣＤ＿Ｔｘ＿フレームパラメータ、フレーム＿持続時間パラメータ等を含むことができる。システム情報１４７９は、様々な基地局からのＤＣＤ及びＵＣＤメッセージを含むことができる。ここで記述された技術の実現に関連する他のタイプのデータ１４９８はまた、メモリ１４２８中に含まれることができる。
【００６４】
メモリ１４２８中の命令１４９９のいくつかの例は、複数の基地局からのメッセージ１４８５中に含まれるパラメータ１４８３に基づいて複数の基地局からのシステム情報の送信のための予定時間１４８１を決定する１４７７ための命令；予定時間１４８１を備えるスケジュールリスト１４９０を生成する１４７５ための命令；及びシステム情報１４７９を基地局から受信するためにスケジュールリスト１４９０に明記されている予定時間１４８１で基地局に同調する１４７３ための命令を含む。ここで記述される技術の実現に関連する他の命令１４９９はまた、メモリ１４２８中に含まれることができる。
【００６５】
モバイル局１４０４はまた、モバイル局１４０４及び遠隔地の間の信号の送信及び受信を許可するために送信機１４０８及び受信機１４２２を含むことができる。送信機１４０８及び受信機１４２２は、トランシーバ１４９７として集合的に言及されることができる。アンテナ１４２０は、電気的にトランシーバ１４９７に連結されることができる。モバイル局１４０４はまた、複数の送信機、複数の受信機、複数のトランシーバ及び／または複数のアンテナを含むことができる（示されない）。
【００６６】
モバイル局１４０４の様々な構成要素は、１つ以上のバスで共に連結されることができる。そのバスは、電力バス、制御信号バス、ステータス信号バス、データバス等を含むことができる。明瞭さのために、様々なバスは、バスシステム１４８７として図１４中に例証される。
【００６７】
ここで記述される技術は、モバイル局が複数の基地局からのシステム情報（例えばＤＣＤ及びＵＣＤメッセージ）の捕捉を促進するのを可能にすることができる。複数の基地局が特別のモバイル局用のサービスエリアの中にあり、モバイル局がＤＣＤ及びＵＣＤメッセージを捕捉する必要があるとき、モバイル局は、単一の基地局のために必要とされるのと同様におよそ同じ量の時間において捕捉を完了することができるかもしれない。よって、ここで記述される技術は、アイドルモード中のセルの再選択、ハンドオフの準備及び最初のネットワーク選択の待ち時間を減らすことができる。
【００６８】
ここで記述される技術は、直交多重化方式に基づく通信システムを含む、様々な通信システムのために使用されることができる。このような通信システムの例は、直交周波数分割多元接続（ＯＦＤＭＡ）システム、単一キャリア周波数分割多元接続（ＳＣ−ＦＤＭＡ）システム、及びその他を含む。ＯＦＤＭＡシステムは、直行周波数分割多重方式（ＯＦＤＭ）を利用する。ＯＦＤＭは、複数の直交サブキャリアに総合体系帯域幅を分割する変調技術である。これらのサブキャリアはまた、トーン（tone）、ビン（bin）等と呼ばれることができる。ＯＦＤＭでは、各々のサブキャリアは、データで独立して変調されることができる。ＳＣ−ＦＤＭＡシステムは、システム帯域幅を渡って分配されたサブキャリア上で送信するためのインタリーブＦＤＭＡ（ＩＦＤＭＡ）、隣接サブキャリアのブロック上で送信するための局部的なＦＤＭＡ（ＬＦＤＭＡ）、または隣接サブキャリアの複数のブロック上で送信するための改良されたＦＤＭＡ（ＥＦＤＭＡ）を利用することができる。一般に、変調シンボルは、ＯＦＤＭに伴う周波数領域の中及びＳＣ−ＦＤＭＡに伴う時間領域の中に送られる。
【００６９】
上の記述において、参照番号は、時には様々な用語に関連して使用されている。用語が参照番号に関連して使用されている場合、これは、図の１つ以上において示される明確な要素を指すことが意味されている。参照番号がなく用語が使用されているとき、これは、どんな特別の図に対する制限もなく一般的にその用語を指すことが意味されている。例えば、“モバイル局１４０４”への言及は、図１４中に示される明確なモバイル局を指す。しかしながら、参照番号がない“モバイル局”の使用は、用語が使用される文脈に対して適切であり、図中に示されるどんな特別のモバイル局にも制限されない任意のモバイル局を指す。
【００７０】
ここで使用されるように、用語“決定すること”は、広く様々なアクションを包含し、それゆえに、“決定すること”は、計算すること、算出すること、処理すること、導き出すこと、調査すること、調べること（例えば、テーブル、データベースまたは別のデータ構造において調べること）、確かめること及びそれらと同様なものを含むことができる。また、“決定すること”は、受信すること（例えば、情報を受信すること）、アクセスすること（例えば、メモリ中のデータにアクセスすること）及びそれらと同様なものを含むことができる。また、“決定すること”は、解決すること、選択すること、選ぶこと、確立すること及びそれらと同様なものを含むことができる。
【００７１】
表現“〜に基づいて”は、明白に別の方法で明示されていない限り、“〜にのみ基づいて”を意味しない。換言すると、表現“〜に基づいて”は、“〜にのみ基づいて”及び“〜に少なくとも基づいて”の両方を記述する。
【００７２】
用語“プロセッサ”は、汎用プロセッサ、中央処理装置（ＣＰＵ）、マイクロプロセッサ、デジタルシグナルプロセッサ（ＤＳＰ）、コントローラ、マイクロコントローラ、状態機械等を包含するために広く解釈されるべきである。いくつかの状況の下では、“プロセッサ”は、特定用途向け集積回路（ＡＳＩＣ）、プログラマブル論理デバイス（ＰＬＤ）、フィールドプログラマブルゲートアレイ（ＦＰＧＡ）等を指すことができる。用語“プロセッサ”は、処理デバイスの組み合わせ、例えば、ＤＳＰ及びマイクロプロセッサ、多数のマイクロプロセッサ、ＤＰＳコアと連結した１つ以上のマイクロプロセッサ、または任意の他のこのような構成の組み合わせを指すことができる。
【００７３】
用語“メモリ”は、電子情報を記憶することができる任意の電子部品を包含するために広く解釈されるべきである。用語メモリは、ランダムアクセスメモリ（ＲＡＭ）、リードオンリーメモリ（ＲＯＭ）、不揮発性ランダムアクセスメモリ（ＮＵＲＡＭ）、プログラマブルリードオンリーメモリ（ＰＲＯＭ）、消去可能プログラマブルリードオンリーメモリ（ＥＰＲＯＭ）、電気的消去可能ＰＲＯＭ（ＥＥＰＲＯＭ）、フラッシュメモリ磁気または光データ記憶装置、レジスタ等のような様々なタイプのプロセッサ読み取り可能媒体を指すことができる。プロセッサがメモリから情報を読み込むことができる及び／またはメモリに情報を書き込むことができる場合、メモリは、プロセッサとの電子通信中であると言われる。メモリは、プロセッサに対して不可欠であり、まだプロセッサとの電子通信中であると言われる。
【００７４】
用語“命令”及び“コード”は、任意のタイプのコンピュータ読み取り可能なステートメントを含むために広く解釈されるべきである。例えば、用語“命令”及び“コード”は、１つ以上のプログラム、ルーチン、サブルーチン、機能、手順等を指すことができる。“命令”及び“コード”は、単一のコンピュータ読み取り可能なステートメントまたは多くのコンピュータ読み取り可能なステートメントを備えることができる。
【００７５】
ここで記述される機能は、ハードウェア、ソフトウェア、ファームウェア、またはそれらの任意の組み合わせにおいて実現されることができる。ソフトウェアにおいて実現される場合、その機能は、コンピュータ読み取り可能媒体上に１つ以上の命令として記憶されることができる。用語“コンピュータ読み取り可能媒体”は、コンピュータによってアクセスされることができる任意の利用可能な媒体を指す。制限でなく例として、コンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または命令またはデータ構造の形式において望ましいプログラムコードを搬送または記憶するために使用されることができ、コンピュータによってアクセスされることができる任意の他の媒体を備えることができる。ここで使用される、ディスク（disk）及びディスク（disc）は、コンパクトディスク（disc）（ＣＤ）、レーザディスク（disc）、光ディスク（disc）、デジタルバーサタイルディスク（disc）（ＤＶＤ）、フロッピー（登録商標）ディスク（disk）及びブルーレイ（登録商標）ディスク（disc）を含む。ここで、ディスク（disk）は通常磁気的にデータを再生するのに対し、ディスク（disc）はレーザで光学的にデータを再生する。
【００７６】
ソフトウェアまたは命令はまた、送信媒体によって送信されることができる。例えば、ソフトウェアがウェブサイト、サーバ、または同軸ケーブル、光ファイバケーブル、ツイストペア、デジタル加入者線（ＤＳＬ）、または赤外線、無線、及びマイクロ波のような無線技術を使用する他の遠隔ソースから送信される場合、同軸ケーブル、光ファイバケーブル、ツイストペア、ＤＳＬ、または赤外線、無線、及びマイクロ波のような無線技術は、送信媒体の定義の中に含まれる。
【００７７】
ここで開示される方法は、その記述される方法を成し遂げるための１つ以上のステップまたはアクションを備える。その方法のステップ及び／またはアクションは、特許請求の範囲の範囲から逸脱することなく互いに交換されることができる。換言すると、ステップまたはアクションの明確な順序が記述されている方法の適切なオペレーションのために必要とされていない限り、明確なステップ及び／またはアクションの順序及び／または使用は、特許請求の範囲の範囲から逸脱することなく変更されることができる。
【００７８】
更に、図６、１０及び１２によって例証されるもののような、ここで記述される方法及び技術を実行するためのモジュール及び／または他の適切な手段が適用可能なようにモバイル局及び／または基地局によってダウンロードされる及び／または別な方法で得られることができるということは認識されるべきである。例えば、このようなデバイスは、ここで記述される方法を実行するための手段の移動を促進するためにサーバに連結されることができる。代替的に、ここで記述される様々な方法は、モバイル局及び／または基地局が記憶手段をデバイスに連結するまたは提供することで様々な方法を得ることができるように、記憶手段（例えば、ランダムアクセスメモリ（ＲＡＭ）、リードオンリーメモリ（ＲＯＭ）、コンパックとディスク（ＣＤ）またはフロッピーディスク等のような物理的な記憶媒体）を経て提供されることができる。更に、ここで記述される方法及び技術をデバイスに提供するための任意の他の適当な技術は、利用されることができる。
【００７９】
特許請求の範囲がうえで例証された明確な構成及び構成要素に制限されないということは理解されるべきである。様々な変更、変化及びバリエーションは、特許請求の範囲の範囲から逸脱することなくここで記述されるシステム、方法、及び装置の細部、オペレーション及び配置の中でされるかもしれない。
以下に、本出願時の特許請求の範囲に記載された発明を付記する。
〔１〕複数の基地局からのシステム情報の並列捕捉のための方法であって、モバイル局によって実現されている方法において、
前記複数の基地局からのメッセージ中に含まれるパラメータに基づいて前記複数の基地局からの前記システム情報の送信のための予定時間を決定することと、
前記予定時間を備えるスケジュールリストを生成することと、
前記システム情報を前記基地局から受信するために前記スケジュールリスト中に明記されている予定時間で前記基地局に同調することと
を備える方法。
〔２〕前記システム情報は、ダウンリンクチャネルディスクリプタ（ＤＣＤ）及びアップリンクチャネルディスクリプタ（ＵＣＤ）メッセージを備える、前記〔１〕に記載の方法。
〔３〕前記複数の基地局からの前記メッセージは、ダウンリンクＭＡＰ（ＤＬ−ＭＡＰ）メッセージを備える、前記〔１〕に記載の方法。
〔４〕前記パラメータは、ダウンリンクチャネルディスクリプタ（ＤＣＤ）及びアップリンクチャネルディスクリプタ（ＵＣＤ）送信フレームパラメータ、フレーム持続時間パラメータ、及び現在のフレーム番号パラメータを備える、前記〔１記載の方法。
〔５〕利用可能な基地局のためにスキャンすることと、
前記複数の基地局からのダウンリンクＭＡＰ（ＤＬ−ＭＡＰ）メッセージ及び物理的パラメータを捕捉することと
を更に備える、前記〔１〕に記載の方法。
〔６〕前記システム情報の送信のための前記予定時間を決定することは、前記複数の基地局から受信された前記ＤＬ−ＭＡＰメッセージを解析することを備える、前記〔５〕に記載の方法。
〔７〕基地局ｉからの前記システム情報の送信のための予定時間は、Ｔｉ＝Ｓｉ＋（現在の＿フレーム＿番号−ＤＵＣ＿ＵＣＤ＿Ｔｘ＿Ｆｒａｍｅ）ｍｏｄ１２８＊フレーム＿持続時間として決定される、前記〔１〕に記載の方法。
〔８〕前記モバイル局が特別の基地局のための予定時間に従ってその基地局のために前記システム情報を受信しない場合、
前記基地局のための前記予定時間を再計算することと、
前記基地局のための前記再計算された予定時間を含めるために前記スケジュールリストを更新することと
を更に具備する、前記〔１〕に記載の方法。
〔９〕第１の基地局からの前記システム情報の送信のための第１の予定時間及び第２の基地局からの前記システム情報の送信のための第２の予定時間の間に矛盾がある場合、
前記システム情報が前記第１の基地局から受信された後に前記第２の基地局のために基地局識別子に同調することと、
前記第２の基地局からの前記システム情報の送信のための前記予定時間を再計算することと、
前記第２の基地局からの前記システム情報の送信のための前記再計算された予定時間を含めるために前記スケジュールリスト更新することと
を更に備える、前記〔１〕に記載の方法。
〔１０〕複数の基地局からのシステム情報の並列補足のために構成されたモバイル局において、
プロセッサと、
前記プロセッサを備えた電子通信におけるメモリと、
前記メモリに記憶された命令であって、
前記複数の基地局からのメッセージ中に含まれるパラメータに基づいて前記複数の基地局からの前記システム情報の送信のための予定時間を決定し、
前記予定時間を備えるスケジュールリストを生成し、
前記システム情報を前記基地局から受信するために前記スケジュールリスト中に明記されている前記予定時間で前記基地局に同調する
ために前記プロセッサによって実行可能である命令と
を備えるモバイル局。
〔１１〕前記システム情報は、ダウンリンクチャネルディスクリプタ（ＤＣＤ）及びアップリンクチャネルディスクリプタ（ＵＣＤ）メッセージを備える、前記〔１０〕に記載のモバイル局。
〔１２〕前記複数の基地局からの前記メッセージは、ダウンリンクＭＡＰ（ＤＬ−ＭＡＰ）メッセージを備える、前記〔１０〕に記載のモバイル局。
〔１３〕前記パラメータは、ダウンリンクチャネルディスクリプタ（ＤＣＤ）及びアップリンクチャネルディスクリプタ（ＵＣＤ）送信フレームパラメータ、フレーム持続時間パラメータ、及び現在のフレーム番号パラメータを備える、前記〔１０〕に記載のモバイル局。
〔１４〕前記命令はまた、
利用可能な基地局のためにスキャンし、
前記複数の基地局からのダウンリンクＭＡＰ（ＤＬ−ＭＡＰ）及び物理的パラメータを捕捉する
ために実行可能である、前記〔１０〕に記載のモバイル局。
〔１５〕前記システム情報の送信のための前記予定時間を決定することは、前記複数の基地局から受信された前記ＤＬ−ＭＡＰメッセージを解析することを備える、前記〔１４〕に記載のモバイル局。
〔１６〕基地局ｉからの前記システム情報の送信のための予定時間は、Ｔｉ＝Ｓｉ＋（現在の＿フレーム＿番号−ＤＣＤ＿ＵＣＤ＿Ｔｘ＿Ｆｒａｍｅ）ｍｏｄ１２８＊フレーム＿持続時間として決定される、前記〔１０〕に記載のモバイル局。
〔１７〕前記モバイル局が特別の基地局のための予定時間に従ってその基地局のために前記システム情報を受信しない場合、前記命令はまた、
前記基地局のための前記予定時間を再計算し、
前記基地局のための前記再計算された予定時間を含めるために前記スケジュールリストを更新する
ために実行可能である、前記〔１０〕に記載のモバイル局。
〔１８〕第１の基地局からの前記システム情報の送信のための第１の予定時間及び第２の基地局からの前記システム情報の送信のための第２の予定時間の間に矛盾がある場合、前記命令はまた、
前記システム情報が前記第１の基地局から受信された後に前記第２の基地局のために基地局識別子に同調し、
前記第２の基地局からの前記システム情報の送信のための前記予定時間を再計算し、
前記第２の基地局からの前記システム情報の送信のための前記再計算された予定時間を含めるために前記スケジュールリストを更新する
ために実行可能である、前記〔１０〕に記載のモバイル局。
〔１９〕複数の送信デバイスからのシステム情報の並列補足のために構成された受信装置において、
前記複数の送信デバイスからのメッセージ中に含まれるパラメータに基づいて前記複数の送信デバイスからの前記システム情報の送信のための予定時間を決定する手段と、
前記予定時間を備えるスケジュールリストを生成する手段と、
前記システム情報を前記複数の送信デバイスから受信するために前記スケジュールリスト中に明記されている前記予定時間で前記複数の送信デバイスに同調する手段と
を備える受信装置。
〔２０〕前記システム情報は、ダウンリンクチャネルディスクリプタ（ＤＣＤ）及びアップリンクチャネルディスクリプタ（ＵＣＤ）メッセージを備える、前記〔１９〕に記載の受信装置。
〔２１〕前記複数の送信デバイスからの前記メッセージは、ダウンリンクＭＡＰ（ＤＬ−ＭＡＰ）メッセージを備える、前記〔１９〕に記載の受信装置。
〔２２〕前記パラメータは、ダウンリンクチャネルディスクリプタ（ＤＣＤ）及びアップリンクチャネルディスクリプタ（ＵＣＤ）送信フレームパラメータ、フレーム持続時間パラメータ、及び現在のフレーム番号パラメータを備える、前記〔１９〕に記載の受信装置。
〔２３〕利用可能な送信デバイスのためにスキャンする手段と、
物理的パラメータ及び前記複数の送信デバイスからのダウンリンクＭＡＰ（ＤＬ−ＭＡＰ）メッセージを捕捉する手段と
を更に備える、前記〔１９〕に記載の受信装置。
〔２４〕モバイル局による複数の基地局からのシステム情報の並列捕捉のためのコンピュータプログラム製品において、
前記複数の基地局からのメッセージ中に含まれるパラメータに基づいて前記複数の基地局からの前記システム情報の送信のための予定時間を決定するためのコードと、
前記予定時間を備えるスケジュールリストを生成するためのコードと、
前記システム情報を前期基地局から受信するために前記スケジュールリスト中に明記されている前記予定時間で前記基地局に同調するためのコードと
を備える命令をそのうえに有するコンピュータ読み取り可能媒体を備えるコンピュータプログラム製品。
〔２５〕前記システム情報は、ダウンリンクチャネルディスクリプタ（ＤＣＤ）及びアップリンクチャネルディスクリプタ（ＵＣＤ）メッセージを備える、前記〔２４〕に記載のコンピュータプログラム製品。
〔２６〕前記複数の基地局からの前記メッセージは、ダウンリンクＭＡＰ（ＤＬ−ＭＡＰ）メッセージを備える、前記〔２４〕に記載のコンピュータプログラム製品。
〔２７〕前記パラメータは、ダウンリンクチャネルディスクリプタ（ＤＣＤ）及びアップリンクチャネルディスクリプタ（ＵＣＤ）送信フレームパラメータ、フレーム持続時間パラメータ、及び現在のフレーム番号パラメータを備える、前記〔２４〕に記載のコンピュータプログラム製品。
〔２８〕前記命令は、
利用可能な基地局のためにスキャンするためのコードと、
物理的パラメータ及び前記複数の基地局からのダウンリンクＭＡＰ（ＤＬ−ＭＡＰ）メッセージを捕捉するためのコードと
を更に備える、前記〔２４〕に記載のコンピュータプログラム製品。
【図１】
0005199475.tif 000002
【図２】
0005199475.tif 000003
【図３】
0005199475.tif 000004
【図４】
0005199475.tif 000005
【図５】
0005199475.tif 000006
【図６】
0005199475.tif 000007
【図７】
0005199475.tif 000008
【図８】
0005199475.tif 000009
【図９】
0005199475.tif 000010
【図１０】
0005199475.tif 000011
【図１１】
0005199475.tif 000012
【図１２】
0005199475.tif 000013
【図１３】
0005199475.tif 000014
【図１４】
0005199475.tif 000015